(57)【要約】【課題】受信無線機のゲインを調整してゲインコントロールの単調性を確保し、受信エラーの発生を抑制する。【解決手段】ゲイン増加とゲイン減少でのＬＮＡ１のゲイン切替時におけるゲイン設定値にヒステリシス特性を持たせる。これにより、ＬＮＡ１のゲイン切替時にゲインコントロールの調整を繰り返し行うことを防止する。さらに、ＬＮＡ１のゲイン切替時に、ＬＮＡ１がＨｉゲインとＬＮＡ１がＬｏｗゲインでのＧＣＡ４の出力信号レベルを出力レベル比較部１４で比較し、ゲイン設定値に補正値決定部１７による補正値を加算する。これにより、ＬＮＡ１のゲイン切替時においてもゲインコントロールの単調性が確保でき、さらに、受信無線機の受信エラーを抑制することができる。【選択図】図１
2006270164.tif 000002
【特許請求の範囲】
【請求項１】
ローノイズアンプ，ミキサーからなるフロントエンド部と、フィルタ，ゲインコントロールアンプからなるベースバンド部とを有する受信無線機のゲイン調整方法であって、
前記ローノイズアンプと前記ゲインコントロールアンプを含む複数個の回路ゲインを制御する信号に、離散的にゲイン制御するシリアルデータに補正値を加算し、ヒステリシス特性を持たせたことを特徴とするゲイン調整方法。
【請求項２】
ローノイズアンプ，ミキサーからなるフロントエンド部と、フィルタ，ゲインコントロールアンプからなるベースバンド部とを有する受信無線機のゲイン調整方法であって、
前記ローノイズアンプと前記ゲインコントロールアンプを含む複数個の回路ゲインを制御する信号に、連続的にゲイン制御する制御電圧に補正値を加算し、ヒステリシス特性を持たせたことを特徴とするゲイン調整方法。
【請求項３】
前記受信無線機を、複数個のフロントエンド部と、ベースバンド部とから構成したことを特徴とする請求項１または２記載のゲイン調整方法。
【請求項４】
ローノイズアンプ，ミキサーからなるフロントエンド部と、フィルタ，ゲインコントロールアンプからなるベースバンド部とを有する受信無線機であって、
前記ローノイズアンプと前記ゲインコントロールアンプを含む複数個の回路ゲインを調整する調整部を備え、前記調整部により補正値を加え、ヒステリシス特性を持たせてゲイン制御することを特徴とする受信無線機。
【請求項５】
複数個の前記フロントエンド部と、ベースバンド部とから構成したことを特徴とする請求項４記載の受信無線機。
【発明の詳細な説明】
【技術分野】
【０００１】
本発明は、ゲインの調整方法に関し、特に２つ以上のゲインコントロール回路で構成される受信無線機においてゲインコントロールの単調性を確保して誤動作を防止したゲイン調整方法および受信無線機に関するものである。
【背景技術】
【０００２】
従来の受信無線機、特にＣＤＭＡ（Ｃode Ｄivision Ｍultiple Ａccess）方式を用いた移動通信システムにおいて、受信している信号の受信特性は、加入者容量などを考慮してシステム設計を行っているため、ゲインコントロールの単調性が重要となる。
【０００３】
図４は受信無線機の構成を示すブロック図であり、図４に示すようにフロントエンド（以下、Ｆ／Ｅという）部１１とベースバンド部１２および制御部６で構成される。Ｆ／Ｅ部１１の入力信号が小さい場合には、ローノイズアンプ（以下、ＬＮＡという）１はＨｉゲインのスイッチ（以下、ＳＷという）５がＯＦＦ状態であり、Ｆ／Ｅ部１１の入力信号が大きい場合には、ＬＮＡ１はＬｏｗゲインのＳＷ５がＯＮ状態に切り替わる。ベースバンド部１２ではゲインコントロールアンプ（以下、ＧＣＡという）４によりゲインの調整を行い、出力信号を一定にする。
【特許文献１】特開２００４−４８１４７号公報
【特許文献２】特開平７−３３６２８３号公報
【発明の開示】
【発明が解決しようとする課題】
【０００４】
しかしながら、２つ以上のゲインコントロール回路で構成される受信無線機では、各々の回路において生じるゲインばらつきにより、ゲインコントロールの誤動作が発生して、ゲインコントロールの単調性を確保することができない。この場合には、現在通信している受信品質が悪くなり、受信エラーが発生して、接続の失敗や切断が起きるといった問題点がある。
【０００５】
図４に示す受信無線機において、素子ばらつきがある場合には、Ｆ／Ｅ部１１のＬＮＡ１の切り替えによるゲイン変動量とベースバンド部１２のＧＣＡ４の調整によるゲイン変動量が異なる。特に、ＬＮＡ１のゲイン切替量がＧＣＡ４のゲイン調整量に比べ、大きい場合には図５（ａ）に示すように、上り方向ではゲイン設定値のゲインコード４５からゲインコード４６のゲイン増加の設定でゲインは減少し、下り方向ではゲインコード４６からゲインコード４５のゲイン減少の設定でゲインは増加する。このため、ゲインコントロールの誤動作が発生し、単調性が確保できなくなるとともに、ゲインコード４５とゲインコード４６の区間で設定したゲインとなるようにゲインコントロールの調整を繰り返すため、受信エラーが発生する。
【０００６】
また、ＬＮＡ１のゲイン切替量がＧＣＡ４のゲイン調整量に比べ、小さい場合には図５（ｂ）に示すように、上り方向ではゲインコード４５からゲインコード４６のゲイン増加の設定以上にゲインは増加し、下り方向ではゲインコード４６からゲインコード４５のゲイン減少の設定以上にゲインは減少する。このため、前述と同様にゲインコード４５とゲインコード４６の区間で設定したゲインとなるようにゲインコントロールの調整を繰り返すため、受信エラーの発生を引き起こしやすい。
【０００７】
本発明は、前記従来技術の問題を解決することに指向するものであり、受信無線機のゲインを調整することによってゲインコントロールの単調性を確保して、受信エラーの発生を抑制するゲイン調整方法および受信無線機を提供することを目的とする。
【課題を解決するための手段】
【０００８】
前記の目的を達成するために、本発明に係る請求項１に記載したゲイン調整方法は、ローノイズアンプ，ミキサーからなるフロントエンド部と、フィルタ，ゲインコントロールアンプからなるベースバンド部とを有する受信無線機のゲイン調整方法であって、ローノイズアンプとゲインコントロールアンプを含む複数個の回路ゲインを制御する信号に、離散的にゲイン制御するシリアルデータに補正値を加算し、ヒステリシス特性を持たせたことを特徴とする。
【０００９】
また、請求項２に記載したゲイン調整方法は、ローノイズアンプ，ミキサーからなるフロントエンド部と、フィルタ，ゲインコントロールアンプからなるベースバンド部とを有する受信無線機のゲイン調整方法であって、ローノイズアンプとゲインコントロールアンプを含む複数個の回路ゲインを制御する信号に、連続的にゲイン制御する制御電圧に補正値を加算し、ヒステリシス特性を持たせたことを特徴とする。
【００１０】
また、請求項３に記載したゲイン調整方法は、請求項１，２のゲイン調整方法であって、受信無線機を、複数個のフロントエンド部と、ベースバンド部とから構成したことを特徴とする。
【００１１】
また、請求項４に記載した受信無線機は、ローノイズアンプ，ミキサーからなるフロントエンド部と、フィルタ，ゲインコントロールアンプからなるベースバンド部とを有する受信無線機であって、ローノイズアンプとゲインコントロールアンプを含む複数個の回路ゲインを調整する調整部を備え、調整部により補正値を加え、ヒステリシス特性を持たせてゲイン制御することを特徴とする。
【００１２】
また、請求項５に記載した受信無線機は、請求項４の受信無線機であって、複数個のフロントエンド部と、ベースバンド部とから構成したことを特徴とする。
【００１３】
前記ゲイン調整方法および受信無線機によれば、ヒステリシス特性を持たせて受信無線機のゲイン調整をし、さらにゲイン調整結果を補正することによって、ゲインコントロールの単調性を確保することができる。
【発明の効果】
【００１４】
本発明によれば、ヒステリシス特性を持たせて受信無線機のゲイン調整をし、さらにゲイン調整結果を補正することによって、複数のゲインコントロール回路を備えていてもゲインコントロールの調整を繰り返すことにより生じる誤動作を防ぎ、ゲインコントロールの単調性を確保することができ、受信エラーの発生を抑制することができるという効果を奏する。
【発明を実施するための最良の形態】
【００１５】
以下、図面を参照して本発明における実施の形態を詳細に説明する。
【００１６】
図１は本発明の実施の形態１における受信無線機の概略構成を示すブロック図である。ここで、前述した図４において説明した構成部材に対応し同等の機能を有するものには同一の符号を付して示し、以下の各図においても同様とする。
【００１７】
本実施の形態１におけるゲイン調整方法について、図面を参照しながら説明する。図１に示すように、Ｆ／Ｅ（フロントエンド）部１１はＬＮＡ（ローノイズアンプ）１と、ＬＮＡ１のゲインを切り替えるＳＷ（スイッチ）５と、ミキサー２で構成される。Ｆ／Ｅ部１１の入力信号が小さい場合には、ＬＮＡ１はＨｉゲインのＳＷ５がＯＦＦ状態であり、Ｆ／Ｅ部１１の入力信号が大きい場合には、ＬＮＡ１はＬｏｗゲインのＳＷ５がＯＮ状態に切り替わる。ベースバンド部１２はＬＰＦ（ローパスフィルタ）３とＧＣＡ（ゲインコントロールアンプ）４で構成され、ＧＣＡ４でゲインの調整を行い、出力信号を一定にする。
【００１８】
ＳＷ５によるＬＮＡ１のゲイン切替時にＬＮＡ１のゲイン変動量がＧＣＡ４のゲイン変動量に比べ、大きい場合には前述の図５（ａ）に示すように、上り方向ではゲイン設定値のゲインコード４５からゲインコード４６のゲイン増加の設定でゲインは減少し、下り方向ではゲインコード４６からゲインコード４５のゲイン減少の設定でゲインは増加するため、ゲインコントロールの誤動作が発生し、単調性が確保できなくなるとともに、ゲインコード４５とゲインコード４６の区間で設定したゲインとなるようにゲインコントロールの調整を繰り返すため、受信エラーが発生する。
【００１９】
そこで、本実施の形態１のゲイン調整方法では、ＬＮＡ１のゲイン切替時にヒステリシス特性を持たせることにより、上り方向ではゲインコード４９からゲインコード５０でＬＮＡ１はＨｉゲインからＬｏｗゲイン（ＳＷ５はＯＦＦ状態からＯＮ状態）となり、下り方向ではゲインコード４６からゲインコード４５でＬＮＡ１はＬｏｗゲインからＨｉゲイン（ＳＷ５はＯＮ状態からＯＦＦ状態）となる。そのため、ＬＮＡ１のゲイン切替時におけるゲインコードの区間でゲインコントロールの調整を繰り返すばたつき動作を防止できる。
【００２０】
また、図１に示すような受信無線機の構成では、ＳＷ５によるＬＮＡ１のゲイン切替時にＧＣＡ４の出力信号レベルを出力レベル検出部１４で検出する。ＳＷ制御部１５によるＬＮＡ１がＨｉゲイン（ＳＷ５がＯＦＦ状態）とＬＮＡ１がＬｏｗゲイン（ＳＷ５がＯＮ状態）でのＧＣＡ４の出力信号レベルを出力レベル比較部１６で比較する。図５（ａ）に示すように、ゲインコードの上り方向では、ゲインコード４５（ＬＮＡ１がＨｉゲインのＳＷ５がＯＦＦ状態）が、ゲインコード４６（ＬＮＡ１がＬｏｗゲインのＳＷ５がＯＮ状態）に比べ、ＧＣＡ４の出力信号レベルが低い。そのため、上り方向ではゲインコード４５からゲインコード４６のゲイン増加の設定でゲインは減少する。
【００２１】
しかしながら、図２（ａ）に示すように、ゲインコードの上り方向と下り方向にはヒステリシス特性を持たせているため、ゲインコード４５からゲインコード４６の設定（破線で示す）をゲインコード４９からゲインコード５０の設定（実線で示す）に変更する。出力レベル比較部１６において、ＧＣＡ４の出力信号レベルを検出してゲインコード４９（ＬＮＡ１がＨｉゲインのＳＷ５がＯＦＦ状態）とゲインコード５０（ＬＮＡ１がＬｏｗゲインのＳＷ５がＯＮ状態）を比較する。そして、上り方向のゲインコード４９からゲインコード５０のゲイン増加の設定でゲインが減少する場合には、ゲインコード４９からゲインコード５０のステップ間隔を通常のゲインコードのステップ間隔よりも広く、通常のゲインコードのステップ間隔では、ゲインコード４９からゲインコード５２の３倍相当になるように補正値決定部１７により補正値を加算する。そのため、ゲインコードの上り方向ではゲインコード４９からゲインコード５０のゲイン増加の設定でゲインは増加する。
【００２２】
続いて、図５（ａ）に示すように、ゲインコードの下り方向では、ゲインコード４６（ＬＮＡ１がＬｏｗゲインのＳＷ５がＯＮ状態）が、ゲインコード４５（ＬＮＡ１がＬｏｗゲインのＳＷ５がＯＦＦ状態）に比べ、ＧＣＡ４の出力信号レベルが高い。そのため、下り方向ではゲインコード４６からゲインコード４５のゲイン減少の設定でゲインは増加する。
【００２３】
しかしながら、図２（ａ）に示すように、ＧＣＡ４の出力信号レベルを出力レベル検出部１４で検出して、ＳＷ制御部１５によるゲインコード４６（ＬＮＡ１がＬｏｗゲインのＳＷ５がＯＦＦ状態）とゲインコード４５（ＬＮＡ１がＨｉゲインのＳＷ５がＯＮ状態）のＧＣＡ４の出力信号レベルを出力レベル比較部１６で比較する。そして、下り方向のゲインコード４６からゲインコード４５のゲイン減少の設定でゲインが増加する場合には、ゲインコード４６からゲインコード４５のステップ間隔を通常のゲインコードのステップ間隔よりも広く、通常のゲインコードのステップ間隔では、ゲインコード４８からゲインコード４５の３倍相当になるように補正値決定部１７により補正値を加算する。そのため、ゲインコードの下り方向ではゲインコード４６からゲインコード４５のゲイン減少の設定でゲインは減少する。
【００２４】
したがって、ＬＮＡ１のゲイン切替時におけるゲインコードのステップ間隔を通常のゲインコードのステップ間隔より広く補正するスキップ動作によって、上り方向でのゲインは増加し、下り方向でのゲインは減少するため、ゲインコントロールの誤動作を防止し、単調性を確保できる。
【００２５】
次に、ＳＷ５によるＬＮＡ１のゲイン切替時にＬＮＡ１のゲイン変動量がＧＣＡ４のゲイン変動量に比べ、小さい場合について説明する。図５（ｂ）に示すように、上り方向ではゲイン設定値のゲインコード４５からゲインコード４６のゲイン増加の設定以上にゲインは増加し、また下り方向ではゲインコード４６からゲインコード４５のゲイン減少の設定以上にゲインは減少するため、ゲインコード４５とゲインコード４６の区間で設定したゲインとなるようにゲインコントロールの調整を繰り返すため、受信エラーの発生を引き起こしやすい。
【００２６】
しかしながら、本実施の形態１のゲイン調整方法では、ＬＮＡ１のゲイン切替時にヒステリシス特性を持たせたことにより、上り方向ではゲインコード４９からゲインコード５０でＬＮＡ１はＨｉゲインからＬｏｗゲイン（ＳＷ５はＯＦＦ状態からＯＮ状態）となり、下り方向ではゲインコード４６からゲインコード４５でＬＮＡ１はＬｏｗゲインからＨｉゲイン（ＳＷ５はＯＮ状態からＯＦＦ状態）となる。そのため、ＬＮＡ１のゲイン切替時におけるゲインコードの区間でゲインコントロールの調整を繰り返すばたつき動作を防止できる。
【００２７】
また、図１に示すような受信無線機の構成では、ＳＷ５によるＬＮＡ１のゲイン切替時にＧＣＡ４の出力信号レベルを出力レベル検出部１４で検出する。ＳＷ制御部１５によるＬＮＡ１がＨｉゲイン（ＳＷ５がＯＦＦ状態）とＬＮＡ１がＬｏｗゲイン（ＳＷ５がＯＮ状態）でのＧＣＡ４の出力信号レベルを出力レベル比較部１６で比較する。図５（ｂ）に示すように、ゲインコードの上り方向では、ゲインコード４５（ＬＮＡ１がＨｉゲインのＳＷ５がＯＦＦ状態）が、ゲインコード４６（ＬＮＡ１がＬｏｗゲインのＳＷ５がＯＮ状態）に比べ、ＧＣＡ４の出力信号レベルが設定以上に高い。そのため、上り方向ではゲインコード４５からゲインコード４６のゲイン増加の設定でゲインコントロールを繰り返す。
【００２８】
しかしながら、図２（ｂ）に示すように、ゲインコードの上り方向と下り方向ではヒステリシス特性を持たせているため、ゲインコード４５からゲインコード４６の設定をゲインコード４９からゲインコード５０の設定に変更する。
出力レベル比較部１６において、ＧＣＡ４の出力信号レベルを検出して、ゲインコード４９（ＬＮＡ１がＨｉゲインのＳＷ５がＯＦＦ状態）とゲインコード５０（ＬＮＡ１がＬｏｗゲインのＳＷ５がＯＮ状態）を比較する。そして、上り方向のゲインコード４９からゲインコード５０のゲイン増加の設定以上にゲインが増加する場合には、ゲインコード４９からゲインコード５０のステップ間隔を通常のゲインコードのステップ間隔と同じになるように補正値決定部１７により補正値は加算しない。
【００２９】
続いて、図５（ｂ）に示すように、ゲインコードの下り方向では、ゲインコード４６（ＬＮＡ１がＬｏｗゲインのＳＷ５がＯＮ状態）が、ゲインコード４５（ＬＮＡ１がＬｏｗゲインのＳＷ５がＯＦＦ状態）に比べ、ＧＣＡ４の出力信号レベルが設定以上に低い。そのため、下り方向ではゲインコード４６からゲインコード４５のゲイン減少の設定でゲインは減少する。
【００３０】
しかしながら、図２（ｂ）に示すように、ＧＣＡ４の出力信号レベルを出力レベル検出部１４で検出して、ＳＷ制御部１５によるゲインコード４６（ＬＮＡ１がＬｏｗゲインのＳＷ５がＯＦＦ状態）とゲインコード４５（ＬＮＡ１がＨｉゲインのＳＷ５がＯＮ状態）のＧＣＡ４の出力信号レベルを出力レベル比較部１６で比較する。そして、下り方向のゲインコード４６からゲインコード４５のゲイン減少の設定以上にゲインが減少する場合には、ゲインコード４６からゲインコード４５のステップ間隔を通常のゲインコードのステップ間隔と同じになるように補正値決定部１７により補正値は加算しない。
【００３１】
本実施の形態１によると、ゲインコードのゲインが増加する上り方向とゲインが減少する下り方向でのＬＮＡ１のゲイン切替時において、ゲイン設定値のゲインコードにヒステリシス特性を持たせているため、ＬＮＡ１のゲイン切替時にゲインコントロールを行う調整の繰り返しを防止できる。さらに、ＬＮＡ１のゲイン切替時にＬＮＡ１がＨｉゲインとＬＮＡ１がＬｏｗゲインでのＧＣＡ４の出力信号レベルを比較し、ゲインコード（ゲイン設定値）に補正値を加算する。そのため、ＬＮＡ１のゲイン切替時においてもゲインコントロールの単調性が確保でき、受信エラーを抑制することができる。
【００３２】
図３に本発明の実施の形態２における受信無線機の概略構成を示すブロック図である。本実施の形態２におけるゲイン調整方法について、図面を参照しながら説明する。図３に示すように、Ｆ／Ｅ部１１ａはＬＮＡ１と、ＬＮＡ１のゲイン切替ＳＷ５と、ミキサー２、さらに別系統としてＬＮＡ７と、ＬＮＡ７のゲイン切替ＳＷ９と、ミキサー８の２系統以上で構成される。Ｆ／Ｅ部１１ａの入力信号が小さい場合には、ＬＮＡ１，７はＨｉゲインのＳＷ５，９がＯＦＦ状態であり、Ｆ／Ｅ部１１ａの入力信号が大きい場合には、ＬＮＡ１，７はＬｏｗゲインのＳＷ５，９がＯＮ状態に切り替わる。ベースバンド部１２はＬＰＦ３とＧＣＡ４で構成され、ＧＣＡ４でゲインの調整を行い、出力信号を一定にする。
【００３３】
ＳＷ５，９によるＬＮＡ１，７のゲイン切替時にＬＮＡ１，７のゲイン変動量がＧＣＡ４のゲイン変動量に比べ、大きい場合には図５（ａ）に示すように、上り方向ではゲイン設定値のゲインコード４５からゲインコード４６のゲイン増加の設定でゲインは減少し、下り方向ではゲインコード４６からゲインコード４５のゲイン減少の設定でゲインは増加するため、ゲインコントロールの誤動作が発生し、単調性が確保できなくなるとともに、ゲインコード４５とゲインコード４６の区間で設定したゲインとなるようにゲインコントロールの調整を繰り返すため、受信エラーが発生する。
【００３４】
しかしながら、本実施の形態２のゲイン調整方法では、ＬＮＡ１，７のゲイン切替時にヒステリシス特性を持たせているため、上り方向ではゲインコード４９からゲインコード５０でＬＮＡ１，７はＨｉゲインからＬｏｗゲイン（ＳＷ５，９はＯＦＦ状態からＯＮ状態）となり、下り方向ではゲインコード４６からゲインコード４５でＬＮＡ１，７はＬｏｗゲインからＨｉゲイン（ＳＷ５，９はＯＮ状態からＯＦＦ状態）となる。そのため、ＬＮＡ１，７のゲイン切替のゲインコードの区間でのゲインコントロールの調整を繰り返すばたつき動作を防止できる。
【００３５】
また、図３に示すような受信無線機の構成では、ＳＷ５，９によるＬＮＡ１，７のゲイン切替時にＧＣＡ４の出力信号レベルを出力レベル検出部１４で検出する。ＳＷ制御部１５によるＬＮＡ１，７がＨｉゲイン（ＳＷ５，９がＯＦＦ状態）とＬＮＡ１，７がＬｏｗゲイン（ＳＷ５，９がＯＮ状態）でのＧＣＡ４の出力信号レベルを比較する。図５（ａ）に示すように、ゲインコードの上り方向では、ゲインコード４５（ＬＮＡ１，７がＨｉゲインのＳＷ５，９がＯＦＦ状態）が、ゲインコード４６（ＬＮＡ１，７がＬｏｗゲインのＳＷ５，９がＯＮ状態）に比べ、ＧＣＡ４の出力信号レベルが低い。そのため、上り方向ではゲインコード４５からゲインコード４６のゲイン増加の設定でゲインは減少する。
【００３６】
しかしながら、図２（ａ）に示すように、ゲインコードの上り方向では、下り方向とヒステリシス特性を持たせているため、ゲインコードを４５からゲインコード４６の設定をゲインコード４９からゲインコード５０の設定に変更する。出力レベル比較部１６において、ＧＣＡ４の出力信号レベルを検出して、ゲインコード４９（ＬＮＡ１，７がＨｉゲインのＳＷ５，９がＯＦＦ状態）とゲインコード５０（ＬＮＡ１，７がＬｏｗゲインのＳＷ５，９がＯＮ状態）を比較する。そして、上り方向のゲインコード４９からゲインコード５０のゲイン増加の設定でゲインが減少する場合には、ゲインコード４９からゲインコード５０のステップ間隔を通常のゲインコードのステップ間隔よりも広く、通常のゲインコードのステップ間隔では、ゲインコード４９からゲインコード５２の３倍相当になるように補正値決定部１７により補正値を加算する。そのため、ゲインコードの上り方向ではゲインコード４９からゲインコード５０のゲイン増加の設定でゲインは増加する。
【００３７】
続いて、図５（ａ）に示すように、ゲインコードの下り方向では、ゲインコード４６（ＬＮＡ１，７がＬｏｗゲインのＳＷ５，９がＯＮ状態）が、ゲインコード４５（ＬＮＡ１，７がＬｏｗゲインのＳＷ５，９がＯＦＦ状態）に比べ、ＧＣＡ４の出力信号レベルが高い。そのため、下り方向ではゲインコード４６からゲインコード４５のゲイン減少の設定でゲインは増加する。
【００３８】
しかしながら、図２（ａ）に示すように、ＧＣＡ４の出力信号レベルを出力レベル検出部１４で検出して、ＳＷ制御部１５によるゲインコード４６（ＬＮＡ１，７がＬｏｗゲインのＳＷ５，９がＯＦＦ状態）とゲインコード４５（ＬＮＡ１，７がＨｉゲインのＳＷ５，９がＯＮ状態）のＧＣＡ４の出力信号レベルを出力レベル比較部１６で比較する。そして、下り方向のゲインコード４６からゲインコード４５のゲイン減少の設定でゲインが増加する場合には、ゲインコード４６からゲインコード４５のステップ間隔を通常のゲインコードのステップ間隔よりも広く、通常のゲインコードのステップ間隔では、ゲインコード４８からゲインコード４５の３倍相当になるように補正値決定部１７により補正値を加算する。そのため、ゲインコードの下り方向ではゲインコード４６からゲインコード４５のゲイン減少の設定でゲインは減少する。
【００３９】
したがって、ＬＮＡ１，７のゲイン切替時におけるゲインコードのステップ間隔を通常のゲインコードのステップ間隔より広く補正するスキップ動作によって、上り方向でのゲインは増加し、下り方向でのゲインは減少するため、ゲインコントロールの誤動作を防止し、単調性を確保できる。
【００４０】
次に、ＳＷ５，９によるＬＮＡ１，７のゲイン切替時にＬＮＡ１，７のゲイン変動量がＧＣＡ４のゲイン変動量に比べ、小さい場合について説明する。図５（ｂ）に示すように、上り方向ではゲイン設定値のゲインコード４５からゲインコード４６のゲイン増加の設定以上にゲインは増加し、また下り方向ではゲインコード４６からゲインコード４５のゲイン減少の設定以上にゲインは減少するため、ゲインコード４５とゲインコード４６の区間で設定したゲインとなるようにゲインコントロールの調整を繰り返すため、受信エラーの発生を引き起こしやすい。
【００４１】
しかしながら、本実施の形態２のゲイン調整方法では、ＬＮＡ１，７のゲイン切替時にヒステリシス特性を持たせたことにより、上り方向ではゲインコード４９からゲインコード５０でＬＮＡ１，７はＨｉゲインからＬｏｗゲイン（ＳＷ５，９はＯＦＦ状態からＯＮ状態）となり、下り方向ではゲインコード４６からゲインコード４５でＬＮＡ１，７はＬｏｗゲインからＨｉゲイン（ＳＷ５，９はＯＮ状態からＯＦＦ状態）となる。そのため、ＬＮＡ１，７のゲイン切替時におけるゲインコードの区間でゲインコントロールの調整を繰り返すばたつき動作を防止できる。
【００４２】
また、図３に示すような受信無線機の構成では、ＳＷ５，９によるＬＮＡ１，７のゲイン切替時にＧＣＡ４の出力信号レベルを出力レベル検出部１４で検出する。ＳＷ制御部１５によるＬＮＡ１，７がＨｉゲイン（ＳＷ５，９がＯＦＦ状態）とＬＮＡ１，７がＬｏｗゲイン（ＳＷ５，９がＯＮ状態）でのＧＣＡ４の出力信号レベルを出力レベル比較部１６で比較する。図５（ｂ）に示すように、ゲインコードの上り方向では、ゲインコード４５（ＬＮＡ１，７がＨｉゲインのＳＷ５，９がＯＦＦ状態）が、ゲインコード４６（ＬＮＡ１，７がＬｏｗゲインのＳＷ５，９がＯＮ状態）に比べ、ＧＣＡ４の出力信号レベルが設定以上に高い。そのため、上り方向ではゲインコード４５からゲインコード４６のゲイン増加の設定でゲインコントロールの調整を繰り返す。
【００４３】
しかしながら、図２（ｂ）に示すように、ゲインコードの上り方向と下り方向ではヒステリシス特性を持たせているため、ゲインコード４５からゲインコード４６の設定をゲインコード４９からゲインコード５０の設定に変更する。出力レベル比較部１６において、ＧＣＡ４の出力信号レベルを検出して、ゲインコード４９（ＬＮＡ１，７がＨｉゲインのＳＷ５，９がＯＦＦ状態）とゲインコード５０（ＬＮＡ１，７がＬｏｗゲインのＳＷ５，９がＯＮ状態）を比較する。そして、上り方向のゲインコード４９からゲインコード５０のゲイン増加の設定以上にゲインが増加する場合には、ゲインコード４９からゲインコード５０のステップ間隔を通常のゲインコードのステップ間隔と同じになるように補正値決定部１７により補正値は加算しない。
【００４４】
続いて、図５（ｂ）に示すように、ゲインコードの下り方向では、ゲインコード４６（ＬＮＡ１，７がＬｏｗゲインのＳＷ５，９がＯＮ状態）が、ゲインコード４５（ＬＮＡ１，７がＬｏｗゲインのＳＷ５，９がＯＦＦ状態）に比べ、ＧＣＡ４の出力信号レベルが設定以上に低い。そのため、下り方向ではゲインコード４６からゲインコード４５のゲイン減少の設定でゲインは減少する。
【００４５】
しかしながら、図２（ｂ）に示すように、ＧＣＡ４の出力信号レベルを出力レベル検出部１４で検出して、ＳＷ制御部１５によるゲインコード４６（ＬＮＡ１，７がＬｏｗゲインのＳＷ５，９がＯＦＦ状態）とゲインコード４５（ＬＮＡ１，７がＨｉゲインのＳＷ５，９がＯＮ状態）のＧＣＡ４の出力信号レベルと出力レベル比較部１６で比較する。そして、下り方向のゲインコード４６からゲインコード４５のゲイン減少の設定以上にゲインが減少する場合には、ゲインコード４６からゲインコード４５のステップ間隔を通常のゲインコードのステップ間隔と同じになるように補正値決定部１７により補正値は加算しない。
【００４６】
本実施の形態２によると、ゲインコードのゲインが増加する上り方向とゲインが減少する下り方向でのＬＮＡ１，７のゲイン切替時において、ゲイン設定値のゲインコードにヒステリシス特性を持たせているため、ＬＮＡ１，７のゲイン切替時にゲインコントロール調整の繰り返しを防止できる。さらに、ＬＮＡ１，７のゲイン切替時にＬＮＡ１，７がＨｉゲインとＬＮＡ１，７がＬｏｗゲインでのＧＣＡ４の出力信号レベルを比較し、ゲインコード（ゲイン設定値）に補正値を加算する。そのため、ＬＮＡ１，７のゲイン切替時においてもゲインコントロールの単調性が確保でき、受信エラーを抑制することができる。
【産業上の利用可能性】
【００４７】
本発明に係るゲイン調整方法および受信無線機は、ヒステリシス特性を持たせて受信無線機のゲイン調整をし、さらにゲイン調整結果を補正することによって、複数のゲインコントロール回路を備えていてもその調整を繰り返すことにより生じる誤動作を防ぎ、ゲインコントロールの単調性を確保でき、受信エラーの発生を抑制することができ、ゲインの調整方法に関し、特に２つ以上のゲインコントロール回路で構成の受信無線機におけるゲイン調整方法として有用である。
【図面の簡単な説明】
【００４８】
【図１】本発明の実施の形態１における受信無線機の概略構成を示すブロック図
【図２】本実施の形態１におけるゲインコードに対するゲインの（ａ）は逆方向、（ｂ）は同方向に変化するゲイン増減を示す図
【図３】本発明の実施の形態２における受信無線機の概略構成を示すブロック図
【図４】従来の受信無線機の概略構成を示すブロック図
【図５】従来のゲインコードに対するゲインの（ａ）は逆方向、（ｂ）は同方向に変化するゲイン増減を示す図
【符号の説明】
【００４９】
１，７  ＬＮＡ
２，８  ミキサー
３  ＬＰＦ
４  ＧＣＡ
５，９  ＳＷ
６  制御部
１１，１１ａ  Ｆ／Ｅ部
１２  ベースバンド部
１３  調整部
１４  出力レベル検出部
１５  ＳＷ制御部
１６  出力レベル比較部
１７  補正値決定部
【図１】
2006270164.tif 000003
【図２】
2006270164.tif 000004
【図３】
2006270164.tif 000005
【図４】
2006270164.tif 000006
【図５】
2006270164.tif 000007